(57)【要約】広告効果を高めることができる情報配信装置、システム、プログラムおよび方法を提供する。  情報配信装置は、表示部にコンテンツを配信中に収集された視聴者の属性に基づいて配信する広告を選択する。
2012141006.tif 000002
【特許請求の範囲】
【請求項１】
コンテンツ格納手段からコンテンツを取得し、
前記コンテンツの画像を表示する表示手段を備える端末装置に前記コンテンツを送信し、
前記画像の視聴可能領域内の人物の人物属性を収集する、ｋ台（ｋは２以上の自然数）の前記端末装置の各々が備える属性収集手段から、前記人物属性を受信し、
前記コンテンツを送信中に収集された前記人物属性を統計処理した結果に基づいて広告格納部から広告データを選択し、
選択された前記広告データを、ｎ台（ｎはｋより大きい自然数）の端末装置に送信する情報配信装置。
【請求項２】
前記ｋ台の端末装置の各々の前記視聴可能領域は、各々排他的な領域である請求項１に記載の情報配信装置。
【請求項３】
前記ｋは、前記ｎ台の端末装置から得られる前記結果を推定するための十分な数である請求項１または２に記載の情報配信装置。
【請求項４】
広告データと広告属性とを対応付けて格納する広告格納手段と、
人物属性から前記広告属性への第１の変換規則を格納する変換情報格納手段と、
コンテンツ格納手段からコンテンツを取得し、
前記コンテンツの画像を表示する表示手段に前記コンテンツを送信し、
前記画像を視聴可能な領域内の人物の人物属性を収集する属性収集手段から前記人物属性を受信し、
前記コンテンツを送信中に収集された前記人物属性と前記第１の変換規則に基づいて前記広告属性を決定し、
決定した前記広告属性に対応する広告データを、前記広告格納手段から選択し、
選択された前記広告データを前記表示手段に送信する、情報配信手段と、
を備える情報配信装置。
【請求項５】
前記コンテンツとコンテンツ属性とを対応付けて格納する前記コンテンツ格納手段を備え、
前記変換情報格納手段は、前記コンテンツ属性および前記人物属性から前記広告属性への第２の変換規則を格納し、
前記情報配信手段は、収集された前記人物属性と、送信した前記コンテンツに対応する前記コンテンツ属性と、前記第２の変換規則とに基づいて前記広告属性を決定し、
決定された前記広告属性に対応する前記広告データを選択する請求項４に記載の情報配信装置。
【請求項６】
前記コンテンツ格納手段は、前記コンテンツと前記人物属性の収集時刻とを対応付けて格納し、
前記情報配信手段は、前記収集時刻に収集された前記人物属性に基づいて前記広告データを選択する請求項４または５に記載の情報配信装置。
【請求項７】
広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、選択された前記広告データを送信する情報配信手段と、を備える情報配信装置から受信した前記コンテンツ及び前記広告データを表示するディスプレイに表示された前記コンテンツの画像を視聴可能な領域内の人物の前記人物属性を収集して前記情報配信装置に送信する属性収集手段を備える情報受信装置。
【請求項８】
請求項４乃至６のいずれかに記載の情報配信装置と、
請求項７に記載の情報受信装置と、
を含む情報配信システム。
【請求項９】
前記情報配信手段は、
前記属性収集手段を備える複数の端末装置の各々に前記コンテンツを送信し、
前記複数の端末装置の各々の前記属性収集手段から前記人物属性を受信し、
受信した前記人物属性の統計値に基づいて１の人物属性を決定し、
前記決定された人物属性と前記第１の変換規則に基づいて前記広告属性を決定する
請求項４に記載の情報配信装置。
【請求項１０】
コンテンツ格納手段からコンテンツを取得するステップと、
前記コンテンツの画像を表示する表示手段を備える端末装置に前記コンテンツを送信するステップと、
前記画像の視聴可能領域内の人物の人物属性を収集する、ｋ台（ｋは２以上の自然数）の前記端末装置の各々が備える属性収集手段から、前記人物属性を受信するステップと、
前記コンテンツを送信中に収集された前記人物属性を統計処理した結果に基づいて広告格納部から広告データを選択するステップと、
選択された前記広告データを、ｎ台（ｎはｋより大きい自然数）の端末装置に送信するステップとをコンピュータに実行させる情報配信プログラム。
【請求項１１】
前記ｋ台の端末装置の各々の前記視聴可能領域は、各々排他的な領域である請求項１０に記載の情報配信プログラム。
【請求項１２】
前記ｋは、前記ｎ台の端末装置から得られる前記結果を推定するための十分な数である請求項１０または１１に記載の情報配信プログラム。
【請求項１３】
コンテンツ格納手段からコンテンツを取得するステップと、
前記コンテンツの画像を表示する表示手段に前記コンテンツを送信し、
前記画像を視聴可能な領域内の人物の人物属性を収集する属性収集手段から前記人物属性を受信し、
前記コンテンツを送信中に収集された前記人物属性を受信し、変換情報格納手段に格納された人物属性から広告属性への第１の変換規則に基づいて前記広告属性を決定し、
決定した前記広告属性に対応する広告データを、広告データと広告属性とを対応付けて格納する広告格納手段から選択し、
選択された前記広告データを前記表示手段に送信する、情報配信ステップと、
をコンピュータに実行させる情報配信プログラム。
【請求項１４】
前記コンテンツ格納手段は前記コンテンツとコンテンツ属性とを対応付けて格納し、
前記変換情報格納手段は、前記コンテンツ属性および前記人物属性から前記広告属性への第２の変換規則を格納し、
収集された前記人物属性と、送信した前記コンテンツに対応する前記コンテンツ属性と、前記第２の変換規則とに基づいて前記広告属性を決定し、決定された前記広告属性に対応する前記広告データを選択する前記情報配信ステップを、
前記コンピュータに実行させる請求項１３に記載の情報配信プログラム。
【請求項１５】
前記コンテンツ格納手段は、前記コンテンツと前記人物属性の収集時刻とを対応付けて格納し、
前記収集時刻に収集された前記人物属性に基づいて前記広告データを選択する前記情報配信ステップを前記コンピュータに実行させる請求項１３または１４に記載の情報配信プログラム。
【請求項１６】
前記コンピュータは、前記情報配信ステップにおいて、
前記属性収集手段を備える複数の端末装置の各々に前記コンテンツを送信し、
前記複数の端末装置の各々の前記属性収集手段から前記人物属性を受信し、
受信した前記人物属性の統計値に基づいて１の人物属性を決定し、
前記決定された人物属性と前記第１の変換規則に基づいて前記広告属性を決定する
請求項１３に記載の情報配信プログラム。
【請求項１７】
広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、選択された前記広告データを送信する情報配信手段と、を備える情報配信装置から、前記コンテンツ及び前記広告データを受信して表示する表示ステップと、
表示された前記コンテンツの画像を視聴可能な領域内の人物の前記人物属性を収集し、前記情報配信装置に送信する属性収集ステップと、をコンピュータに実行させる情報受信プログラム。
【請求項１８】
コンテンツ格納手段からコンテンツを取得し、
前記コンテンツの画像を表示する表示手段を備える端末装置に前記コンテンツを送信し、
前記画像の視聴可能領域内の人物の人物属性を収集する、ｋ台（ｋは２以上の自然数）の前記端末装置の各々が備える属性収集手段から、前記人物属性を受信し、
前記コンテンツを送信中に収集された前記人物属性を統計処理した結果に基づいて広告格納部から広告データを選択し、
選択された前記広告データを、ｎ台（ｎはｋより大きい自然数）の端末装置に送信する情報配信方法。
【請求項１９】
前記ｋ台の端末装置の各々の前記視聴可能領域は、各々排他的な領域である請求項１８に記載の情報配信方法。
【請求項２０】
前記ｋは、前記ｎ台の端末装置から得られる前記結果を推定するための十分な数である請求項１８または１９に記載の情報配信方法。
【請求項２１】
コンテンツ格納手段からコンテンツを取得し、
前記コンテンツの画像を表示する表示手段に前記コンテンツを送信し、
前記画像を視聴可能な領域内の人物の人物属性を収集する属性収集手段から前記人物属性を受信し、
前記コンテンツを送信中に収集された前記人物属性を受信し、変換情報格納手段に格納された人物属性から広告属性への第１の変換規則に基づいて前記広告属性を決定し、
決定した前記広告属性に対応する広告データを、広告データと広告属性とを対応付けて格納する広告格納手段から選択し、
選択された前記広告データを前記表示手段に送信する、情報配信方法。
【請求項２２】
前記コンテンツ格納手段は前記コンテンツとコンテンツ属性とを対応付けて格納し、
前記変換情報格納手段は、前記コンテンツ属性および前記人物属性から前記広告属性への第２の変換規則を格納し、
収集された前記人物属性と、送信した前記コンテンツに対応する前記コンテンツ属性と、前記第２の変換規則とに基づいて前記広告属性を決定し、決定された前記広告属性に対応する前記広告データを選択する請求項２１に記載の情報配信方法。
【請求項２３】
前記コンテンツ格納手段は、前記コンテンツと前記人物属性の収集時刻とを対応付けて格納し、
前記収集時刻に収集された前記人物属性に基づいて前記広告データを選択する請求項２１または２２に記載の情報配信方法。
【請求項２４】
前記属性収集手段を備える複数の端末装置の各々に前記コンテンツを送信し、
前記複数の端末装置の各々の前記属性収集手段から前記人物属性を受信し、
受信した前記人物属性の統計値に基づいて１の人物属性を決定し、
前記決定された人物属性と前記第１の変換規則に基づいて前記広告属性を決定する
請求項２１に記載の情報配信方法。
【請求項２５】
広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、選択された前記広告データを送信する情報配信手段と、を備える情報配信装置から、前記コンテンツ及び前記広告データを受信して表示し、
表示された前記コンテンツの画像を視聴可能な領域内の人物の前記人物属性を収集し、
前記情報配信装置に送信する情報受信方法。
【発明の詳細な説明】
【技術分野】
【０００１】
本発明は情報配信装置、情報受信装置、システム、プログラムおよび方法に関する。
【背景技術】
【０００２】
広告は商品やサービスを顧客に周知させるための重要な手段の１つであり、効果の高い広告を配信することが望まれている。
例えば、特許文献１には、広告の表示を顧客の特徴等に応じて切り換える画像表示システムの一例が記載されている。
【先行技術文献】
【特許文献】
【０００３】
【特許文献１】特開２００４−１５７４９８号公報
【発明の概要】
【発明が解決しようとする課題】
【０００４】
しかし、上記のシステムは、公共の場等において画像表示装置の前にいる人物向けに広告を配信するものであり、画像表示装置の配信内容に全く興味を示さない人物（例えば、急いで通過しただけの人物）に向かって広告を配信することもある。そのため、充分な広告効果をあげることができないおそれがある。また、不特定多数の顧客に広く商品等を認知させるための広告として、いわゆるテレビコマーシャル等が知られているが、このようなプッシュ型広告のみでは、顧客の嗜好に応じた広告を配信することができず、充分に広告効果を発揮できないおそれがある。
そこで、本発明は上記課題を解決すべく、訴求効果が期待できる人物に合わせた広告を配信することで、広告効果を高めることのできる情報配信装置、システム、プログラムおよび方法を提供することを目的とする。
【課題を解決するための手段】
【０００５】
かかる目的を達成するため、本発明の一形態は、コンテンツ格納手段からコンテンツを取得し、前記コンテンツの画像を表示する表示手段を備える端末装置に前記コンテンツを送信し、前記画像の視聴可能領域内の人物の人物属性を収集する、ｋ台（ｋは２以上の自然数）の前記端末装置の各々が備える属性収集手段から、前記人物属性を受信し、前記コンテンツを送信中に収集された前記人物属性を統計処理した結果に基づいて広告格納部から広告データを選択し、選択された前記広告データを、ｎ台（ｎはｋより大きい自然数）の端末装置に送信する情報配信装置を提供する。
また、本発明は、コンテンツ格納手段からコンテンツを取得するステップと、前記コンテンツの画像を表示する表示手段を備える端末装置に前記コンテンツを送信するステップと、前記画像の視聴可能領域内の人物の人物属性を収集する、ｋ台（ｋは２以上の自然数）の前記端末装置の各々が備える属性収集手段から、前記人物属性を受信するステップと、前記コンテンツを送信中に収集された前記人物属性を統計処理した結果に基づいて広告格納部から広告データを選択するステップと、選択された前記広告データを、ｎ台（ｎはｋより大きい自然数）の端末装置に送信するステップとをコンピュータに実行させる情報配信プログラムを提供する。
また、本発明は、コンテンツ格納手段からコンテンツを取得し、前記コンテンツの画像を表示する表示手段を備える端末装置に前記コンテンツを送信し、前記画像の視聴可能領域内の人物の人物属性を収集する、ｋ台（ｋは２以上の自然数）の前記端末装置の各々が備える属性収集手段から、前記人物属性を受信し、前記コンテンツを送信中に収集された前記人物属性を統計処理した結果に基づいて広告格納部から広告データを選択し、選択された前記広告データを、ｎ台（ｎはｋより大きい自然数）の端末装置に送信する情報配信方法を提供する。
また、本発明は、広告データと広告属性とを対応付けて格納する広告格納手段と、人物属性から前記広告属性への第１の変換規則を格納する変換情報格納手段と、コンテンツ格納手段からコンテンツを取得し、前記コンテンツの画像を表示する表示手段に前記コンテンツを送信し、前記画像を視聴可能な領域内の人物の人物属性を収集する属性収集手段から前記人物属性を受信し、前記コンテンツを送信中に収集された前記人物属性と前記第１の変換規則に基づいて前記広告属性を決定し、決定した前記広告属性に対応する広告データを、前記広告格納手段から選択し、選択された前記広告データを前記表示手段に送信する、情報配信手段と、を備える情報配信装置を提供する。
また、本発明は、コンテンツ格納手段からコンテンツを取得するステップと、前記コンテンツの画像を表示する表示手段に前記コンテンツを送信し、前記画像を視聴可能な領域内の人物の人物属性を収集する属性収集手段から前記人物属性を受信し、前記コンテンツを送信中に収集された前記人物属性を受信し、変換情報格納手段に格納された人物属性から広告属性への第１の変換規則に基づいて前記広告属性を決定し、決定した前記広告属性に対応する広告データを、広告データと広告属性とを対応付けて格納する広告格納手段から選択し、選択された前記広告データを前記表示手段に送信する、情報配信ステップと、をコンピュータに実行させる情報配信プログラムを提供する。
また、本発明は、コンテンツ格納手段からコンテンツを取得し、前記コンテンツの画像を表示する表示手段に前記コンテンツを送信し、前記画像を視聴可能な領域内の人物の人物属性を収集する属性収集手段から前記人物属性を受信し、前記コンテンツを送信中に収集された前記人物属性を受信し、変換情報格納手段に格納された人物属性から広告属性への第１の変換規則に基づいて前記広告属性を決定し、決定した前記広告属性に対応する広告データを、広告データと広告属性とを対応付けて格納する広告格納手段から選択し、選択された前記広告データを前記表示手段に送信する、情報配信方法を提供する。
また、本発明は、広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、前記コンテンツの送信終了後、選択された前記広告データを送信する情報配信手段と、を備える情報配信装置から受信した前記コンテンツ及び前記広告データを表示するディスプレイに表示された前記コンテンツの画像を視聴可能な領域内の人物の前記人物属性を収集して前記情報配信装置に送信する属性収集手段を備える情報受信装置を提供する。
また、本発明は、広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、前記コンテンツの送信終了後、選択された前記広告データを送信する情報配信手段と、を備える情報配信装置から、前記コンテンツ及び前記広告データを受信して表示する表示ステップと、表示された前記コンテンツの画像を視聴可能な領域内の人物の前記人物属性を収集し、前記情報配信装置に送信する属性収集ステップと、をコンピュータに実行させる情報受信プログラムを提供する。
また、本発明は、広告データと広告属性とを対応付けて格納する広告格納手段と、人物属性を前記広告属性へ変換する変換規則を格納する変換情報格納手段と、コンテンツを送信中に収集された人物属性と前記変換規則とによって決定された広告属性に対応する広告データを前記広告格納手段から選択し、前記コンテンツの送信終了後、選択された前記広告データを送信する情報配信手段と、を備える情報配信装置から、前記コンテンツ及び前記広告データを受信して表示し、表示された前記コンテンツの画像を視聴可能な領域内の人物の前記人物属性を収集し、前記情報配信装置に送信する情報受信方法を提供する。
【発明の効果】
【０００６】
本発明は、訴求効果が期待できる人物に合わせた広告を配信することで、広告効果を高めることのできる情報配信装置、情報受信装置、システム、プログラムおよび方法を提供する。
【図面の簡単な説明】
【０００７】
【図１】実施形態１の構成の一例を示すブロック図である。
【図２】実施形態１の広告格納部１１の一例を示す図である。
【図３】実施形態１のコンテンツ格納部１２の一例を示す図である。
【図４】実施形態１の動作例を示すフロー図である。
【図５】実施形態１の変換情報格納部１３の一例を示す図である。
【図６】実施形態１のスケジュール表の一例を示す図である。
【図７】実施形態１の係数表の一例を示す図である。
【図８】実施形態２の変換情報格納部１３の一例を示す図である。
【図９】実施形態２の動作例を示すフロー図である。
【図１０】実施形態３のコンテンツ格納部１２の一例を示す図である。
【図１１】実施形態３の動作例を示すフロー図である。
【図１２】実施形態４の情報配信装置１の構成の一例を示すブロック図である。
【図１３】実施形態５の端末装置２の構成の一例を示すブロック図である。
【図１４】表示部２０の一例を説明する図である。
【発明を実施するための形態】
【０００８】
以下、本発明の実施の形態について、図面を用いて説明する。すべての図面において、同様な構成要素には同様の符号を付し、適宜説明を省略する。
なお、各実施形態の装置等を構成する各部は、論理回路等のハードウェアで構成される。また、各部は、制御部、メモリ、メモリにロードされたプログラム、プログラムを格納するハードディスク等の記憶ユニット、ネットワーク接続用インターフェースなどからなり、ハードウェアとソフトウェアの任意の組合せによって実現されてもよい。そして特に断りのない限り、その実現方法、装置は限定されない。
また、制御部はＣＰＵ（Ｃｅｎｔｒａｌ  Ｐｒｏｃｅｓｓｉｎｇ  Ｕｎｉｔ）などからなり、オペレーティングシステムを動作させて装置等の全体を制御するとともに、例えばドライブ装置などに装着された記録媒体からメモリにプログラムやデータを読み出し、これに従って各種の処理を実行する。
記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
通信網は、インターネット、ＬＡＮ（Ｌｏｃａｌ  Ａｒｅａ  Ｎｅｔｗｏｒｋ）、公衆回線網、無線通信網、または、これらの組み合わせ等によって構成されるネットワーク等であっても良い。
＜実施形態１＞
次に、本発明の第１の実施形態について図面を参照して説明する。
図１には、第１の実施形態にかかる情報配信システムＡが示されている。情報配信システムＡは、情報配信装置１、端末装置２からなり、情報配信装置１は無線ないし有線通信等によって各種情報を端末装置２に送信する。情報配信装置１から端末装置２への情報伝達は放送によって行なわれる。ただし、インターネットＴＶ（ｔｅｌｅｖｉｓｉｏｎ）のようにインターネット回線を通じて情報が配信されてもよい。端末装置２の台数は複数台でも良く、５００台以上ないし１０００台以上あることが望ましい。
情報配信装置１は、情報配信部１０、広告格納部１１、コンテンツ格納部１２、変換情報格納部１３を備える。
情報配信部１０は、例えば放送局が有する放送装置等であり、音声、映像等の情報を電気信号等によって端末装置２に向けて配信する機能を有する。また、情報配信部１０は、インターネットＴＶ（ｔｅｌｅｖｉｓｉｏｎ）のようにインターネット回線を通じて情報を配信してもよい。情報配信の方法は種々の方法が知られており特に限定されない。
また、情報配信部１０は、後述する変換規則を参照し、人物属性に対応する広告属性を決定する機能を有する。また、情報配信部１０は、決定した広告属性に対応する広告データを広告格納部１１から取得し、取得した広告データを端末装置２に配信する。
広告格納部１１は、例えば放送局によって管理され、広告主や広告代理店等から取得した広告データを格納する。広告格納部１１は、図２に示すように、広告データ（広告）と広告属性とを対応付けて格納する。広告データは、例えば、映像や音声などを含む静止画や動画であって、所定の形式で広告格納部１１に格納される。広告属性とは、各広告データの種別を示す情報である。例えば、広告内容がゴルフ商品に関するものあれば、該広告には“スポーツ”という広告属性が付与される。
広告属性は、例えば広告主や広告代理店等が付与する。なお、ゴルフ商品に関する広告の広告属性は“スポーツ”に限られない。すなわち、広告主や広告代理店等は、広告を管理しやすいように適切な粒度で広告属性を付与することができる。例えば、広告代理店等は、広告したいゴルフ商品がゴルフクラブに関するものであれば、“スポーツ”という属性の代わりに“ゴルフクラブ”という広告属性を付与し、ゴルフウェアに関するものであれば“ゴルフウェア”という広告属性を付与し、子供向けゴルフクラブのおもちゃに関するものであれば“ゴルフおもちゃ”という広告属性を付与してもよい。広告代理店等は、このような広告属性を付与することによって、これらに一括して“スポーツ”という属性を付与するよりも細かい粒度の属性を付与することができる。また、広告属性は、広告に登場するタレント名や商品等の名称であってもよい。
また、広告は、例えばいわゆるＴＶ番組の間に放送されるＣＭ（Ｃｏｍｍｅｒｃｉａｌ  Ｍｅｓｓａｇｅ）放送用の広告であってもよい。この場合、各広告は、例えば図６のＴＶ番組スケジュール表に示されるように、予め定められた広告枠の時間に放送される。図６のＴＶ番組スケジュール表にはコンテンツと広告の放送時刻が記載されている。ＴＶ番組スケジュール表は、例えば情報配信装置１の図示しない記憶部に予め格納されている。
コンテンツ格納部１２は、例えば放送局によって管理され、コンテンツデータ（コンテンツ）を格納する。コンテンツは例えば映像や音声などを含む静止画や動画であって、所定の形式でコンテンツ格納部１２に格納される。放送局は、例えば、コンテンツ作成会社、ＴＶ番組作成会社等からコンテンツを取得してコンテンツ格納部１２へ格納してもよい。
コンテンツは、いわゆるＴＶ番組放送用のコンテンツであってもよい。この場合、例えば図６に示されるように、各コンテンツは予め定められたＴＶ番組スケジュールに従って放送されてもよい。すなわち、コンテンツは、放送局が配信するＴＶ放送波によってＴＶ受像機などに受信される放送番組でもよい。
また、コンテンツ格納部１２は、図３に示すように、コンテンツデータとコンテンツ属性とを対応付けて格納してもよい。コンテンツ属性は各コンテンツの種別を示す情報であり、コンテンツ作成会社、放送局、広告主、広告代理店等がコンテンツに付与する。例えば、コンテンツの内容がゴルフ番組に関するものあれば、該コンテンツには“スポーツ番組”というコンテンツ属性が付与される。ただし、ゴルフ番組に付与されるコンテンツ属性は“スポーツ番組”に限られない。例えば、コンテンツの内容がゴルフ番組である場合、付与される属性は“ゴルフ番組”でも良い。コンテンツ作成会社等は、コンテンツを管理しやすいように適切な粒度でコンテンツ属性を付与することができる。また、コンテンツ属性は、コンテンツに登場するタレントや商品等の名称であってもよい。
変換情報格納部１３は、人物属性から広告属性への変換規則（第１の変換規則）を格納する。変換情報格納部１３は、例えば、図５に示すように、チャンネルごとに、時刻情報と人物属性と広告属性とを対応付けたテーブルを格納してもよい。チャンネルとは、各コンテンツを配信する際の周波数帯域などを識別する識別情報である。時刻情報とは、チャンネルごとに、情報配信装置１から端末装置２にコンテンツが配信される時刻を示す情報である。
ここで、人物属性とは、人の特徴を表す特徴量である。図５では、人物属性として、人物の性別と年齢が用いられているが、人物属性としては人物の髪の量や髪の色、髪型、帽子の有無、マスクの有無、メガネの有無、服装等の明るさ、身につけているカバンやアクセサリのブランドを示すロゴなど、その他の情報が用いられても構わない。また、人物属性は、コンテンツに対する視聴者の反応（例えば、笑っている、泣いている、驚いている等）であっても良い。図５を例に、人物属性から広告属性への変換について説明する。図５は、２０１０年１２月１０日の時刻１２：００：００から１２：１５：３０の間に後述する属性情報収集部２１によって取得された人物属性が、“性別：男、年齢：１２歳以下“であれば、該人物属性は、”広告属性：おもちゃ“に変換されることを示している。また、同様に、同日の時刻１２：１６：００から１２：３０：３０の間に属性情報収集部２１によって取得された人物属性が”性別：女、年齢：２０代〜３０代“であれば、該人物属性は、広告属性”洋服“に変換される。このように、人物属性が広告属性に変換される変換規則が変換情報格納部１３に格納されている。ここでは、変換規則として図５のテーブルを例に説明したが、人物属性を入力とし、広告属性を出力とする写像であれば特に変換規則は限定されない。例えば、変換情報格納部１３は、チャンネルを区別せずに人物属性と広告属性とを対応付けたテーブルを格納してもよい。また、変換情報格納部１３は、チャンネルや時刻情報に依存しない変換規則を格納しても良い。
端末装置２は、表示部２０、属性情報収集部２１を備える。
表示部２０は、例えばプラズマディスプレイパネル、液晶表示パネル、ＣＲＴ（Ｃａｔｈｏｄｅ  Ｒａｙ  Ｔｕｂｅ）等のディスプレイを備え、コンテンツや広告の映像や音声を出力する表示制御機能を有する。具体的には、表示部２０は、図１４に示すように表示制御部２００とディスプレイ２０１とから構成される。表示制御部２００は受信したコンテンツや広告をディスプレイに表示する。図１４に示すようにディスプレイ２０１は、端末装置２の外部に設置されても良い。表示部２０を備える端末装置２は、例えば、家庭等に設置されたＴＶ放送波を受信するいわゆるＴＶ受像機等であってもよい。すなわち、情報配信装置１は各家庭に設置されたＴＶ受像機にＴＶ番組とＣＭ広告とを放送してもよい。
属性情報収集部２１は、上述の人物属性を収集する機能を有する。属性情報収集部２１は、例えば表示部２０の近傍に配置されたＣＣＤ（Ｃｈａｒｇｅ  Ｃｏｕｐｌｅｄ  Ｄｅｖｉｃｅ）カメラ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラ等の撮像装置が撮像した人物の画像から人物の性別、年齢等の人物属性を収集する機能を有する。人物画像からその人物の性別、年齢等の特徴量を収集することは種々の公知の方法により可能であり、その方法は特段限定されない。
撮像装置は、例えば、表示部２０の近傍に配置され、表示部２０を視聴可能な領域（視聴可能領域）を撮像する。撮像装置は、例えば、端末装置２に搭載されても良いし、端末装置２の近傍の壁や天井に配置されても良い。視聴可能領域とは、表示部２０から出力される映像や音声を視聴可能な領域であるが、この領域は、予め管理者等が設定した領域であっても構わない。
また、属性情報収集部２１は、例えば、表示部２０の視聴可能領域に存在する人物の所持する携帯端末やＩＣカード等からその人物の情報を収集しても良い。例えば、携帯端末に人物属性としてその人物の性別や年齢、嗜好情報等が格納されている場合、携帯端末に内蔵されたＲＦＩＤ（Ｒａｄｉｏ  Ｆｒｅｑｕｅｎｃｙ  ＩＤｅｎｔｉｆｉｃａｔｉｏｎ）機能等によって、属性情報収集部２１は、表示部２０の近傍に配置されたＲＦＩＤリーダ等を介して、携帯端末から人物属性を収集することができる。このように、人物属性を収集する方法は特段限定されない。
属性情報収集部２１は、視聴可能領域に存在する人物が複数人存在する場合、例えば次のようにしてその中の１名を選択し、その人物の人物属性のみを取得しても良い。
例えば、端末装置２は、図示しない記憶部に、図７に示す係数表を記憶する。第１の係数表は、視聴可能領域に存在する人物のディスプレイ２０１に対する顔の向きとそれに対応する係数１を保持する。属性情報収集部２１は、予め設定された顔の正面向テンプレート画像と視聴者の顔とを比較して、視聴者の顔の角度がどの方向に向いているかを判定しても良い。また、第２の係数表は人物の瞳孔の大きさとそれに対応する係数２を保持する。瞳孔の大きさは、例えば、人の瞳孔の大きさの平均値を基準とし、平均値の大きさを中、平均値から所定以上の大きさを大、平均値より所定以下の大きさを小として管理者等が予め設定する。属性情報収集部２１は、視聴可能領域に存在する人物ごとに興味度を表すスコアとして、所定値×係数１×係数２の値を算出する。例えば、視聴可能領域に視聴者Ａ（１０代男性）、視聴者Ｂ（４０代女性）、視聴者Ｃ（４０代男性）が存在し、視聴者Ａは正面を向き、瞳孔の大きさが大であるとする。この場合、所定値を１０とすれば、視聴者Ａの興味度は１０×１×１＝１０となる。また、視聴者Ｂが後ろ向きであれば、その興味度は０となる。また、視聴者Ｃが右を向いていて、瞳孔の大きさが大であれば、その興味度は１０×０．５×１＝５となる。この場合、属性情報収集部２１は、興味度が一番高い視聴者Ａの人物属性である年齢：１０代、性別：男を取得し、他の２名の人物属性は収集しない。このようにして、属性情報収集部２１は、複数人が視聴可能領域に存在する場合、そのうちの１名を選択して人物属性を収集してもよい。なお、興味度の算出は、顔の向きや瞳孔の大きさのほかに、視聴者とディスプレイ２０１との距離、ディスプレイ２０１の注視時間等を基にしてもよく、特段限定されるものではない。また、ここでは人物の選定に興味度を用いる例を説明したが、属性情報収集部２１は、興味度自体を収集することによって、マーケティング情報として該興味度が利用されても良い。
また、属性情報収集部２１は、定期的に人物属性を取得し、人物属性を取得する度に、取得した人物属性を逐次情報配信装置１に送信する。情報配信装置１が人物属性を受信すると、例えば、情報配信部１０は、受信した人物属性のうち、コンテンツ配信中に取得した人物属性の中から、頻度が最も多い人物属性を特定し、該特定された人物属性を基に上述した広告属性を選択する。また、情報配信部１０は、例えば図６のＴＶ番組スケジュール表が示すコンテンツの配信時間を参照して、該時間内において頻度が最も多い人物属性を特定し、該特定された人物属性を基に上述した広告属性を選択しても良い。
また、属性情報収集部２１は、情報配信部１０から図６のＴＶ番組スケジュール表を受信してもよい。そして、属性情報収集部２１は、端末装置２がコンテンツを受信後、所定の時刻になるまで定期的に人物属性を取得し、取得した人物属性の中で頻度が最も多い人物属性を特定して、所定の時刻に該人物属性を情報配信装置１に送信してもよい。所定の時刻とは、例えば情報配信部１０が広告データを配信する時刻の所定時間前の時刻である。例えば、属性情報収集部２１が受信した図６のＴＶ番組スケジュール表によれば、ゴルフ番組のコンテンツデータ１の配信時間１２：００：００〜１２：１５：３０の後、広告枠が１２：１５：３０〜１２：１６：００の時間に設けられている。この場合、属性情報収集部２１は、コンテンツデータ１の配信時刻である１２：００：００から、広告配信時刻である１２：１５：３０の所定時間前の時刻（例えば所定時間を１分３０秒とすれば１２：１４：００）まで、定期的に人物属性を取得し続ける。取得された人物属性が、“性別：男、年齢：２３歳”が３回、“性別：女、年齢４１歳”が５回、“性別：男、年齢：５０歳”が７回であれば、属性情報収集部２１は、最も頻度の多い人物属性である“性別：男、年齢：５０歳”を所定の時刻である１２：１４：００に情報配信装置１に送信する。
次に、本実施の形態における情報配信システムＡの動作について図４を用いて説明する。
まず、情報配信部１０は、例えば図６のＴＶ番組スケジュール表を参照してその時刻に配信するコンテンツをコンテンツ格納部１２から取得し、端末装置２へ配信する（ステップＳ１１）。
端末装置２がコンテンツを受信すると、表示部２０は該コンテンツを表示する（ステップＳ１２）。また、属性情報収集部２１は、視聴可能領域内に存在する人物の人物属性を上述の方法等を用いて取得する（ステップＳ１３）。
属性情報収集部２１は、定期的に人物属性を取得し、人物属性を取得する度に、取得した人物属性とそれを取得した時刻情報とを逐次情報配信装置１に送信する。この際、属性情報収集部２１は、例えば端末装置２に内蔵された時計や外部の電波時計等から時刻を取得してもよい。また、属性情報収集部２１は、表示部２０が表示しているコンテンツのチャンネル情報を表示部２０から取得し、該チャンネル情報と、時刻情報と、取得した人物属性とを対応付けて情報配信装置１に送信する。
情報配信装置１がこれらの情報を受信すると（ステップＳ１４）、情報配信部１０は、図５に示した第１の変換規則を参照し、チャンネル情報と時刻情報とから該当するレコードを参照し、取得した人物属性に対応する広告属性を選択する（ステップＳ１５）。例えば、チャンネル情報がチャンネル１であり、受信した時刻情報が１２：００：００から１２：１５：３０の間の時刻を示す場合には、情報配信部１０は、図５の最上段のレコードを参照する。次に、情報配信部１０は、取得した人物属性が、例えば、“性別：男、年齢：２３歳”であれば、図５の変換規則の“性別：男性、年齢：その他”、に該当するため、対応する広告属性である“時計”の広告属性を選択する。
次に、情報配信部１０は、選択した広告属性に対応する広告データを広告格納部１１から選択する（ステップＳ１６）。例えば、情報配信部１０が取得した広告属性が“時計”であれば、情報配信部１０は、図２の広告格納部１１から対応する“広告データ４”を取得する。
なお、第１の変換規則がチャンネルや時刻情報に依存しない場合には、上述のステップＳ１３において、属性情報収集部２１は、人物属性のみを情報配信装置１に送信してもよい。この場合、情報配信部１０は、情報配信装置１が受信した人物属性のうち、情報配信部１０がコンテンツ配信中に受信した人物属性に対応する広告属性を、第１の変換規則を参照して選択する。
また、情報配信部１０は、取得した広告データを端末装置２に配信する（ステップＳ１７）。なお、図６のＴＶ番組スケジュール表に示すように、広告枠はチャンネルごとに予め定まっているため、情報配信部１０はＴＶ番組スケジュール表の広告枠の時間に広告データを配信する。
また、収集された人物属性に基づいて決定された広告データは、収集された人物属性をもつ人物がその場に滞在している可能性が高いコンテンツ配信直後の広告枠に配信されるのが望ましい。つまり、図６のチャンネル１のスケジュールによれば、情報配信部１０は、例えば、時刻が１２：００：００から１２：１５：３０の間に属性情報収集部２１によって収集された人物属性を基に時刻１２：１５：３０から１２：１６：００の間に配信する広告を決定するのが望ましい。この場合、人物属性が広告属性に変換される時間や、情報配信部１０が広告データを選択する時間等を考慮して、上述の所定の時刻が設定されるのが望ましい。
なお、ステップＳ１４〜Ｓ１６において、情報配信装置１が人物属性を受信できなかった場合や人物属性に対応する広告属性が存在しない場合等には、情報配信部１０は予め定められているデフォルト広告を広告格納部１１等の記憶部から取得して端末装置２へ配信してもよい。
次に、端末装置２は情報配信部１０から送信された広告データを受信する。次に、表示部２０が広告を表示する（ステップＳ１８）。
本実施の形態によれば、情報配信装置１はコンテンツが配信されている時間に収集した人物属性に基づいて配信広告を決定する。すなわち、本実施の形態によれば、コンテンツを配信し、該コンテンツ配信中に視聴可能領域にいる、該コンテンツに興味を持った視聴者に対して、その視聴者にあう広告を選択して配信することができる。
したがって、本実施の形態によれば、単に広告のみを一方的に配信するだけではなく、まずコンテンツを配信し、そして、該コンテンツに興味を持った視聴者に対して、その視聴者に合う広告を選択して配信することができるため、広告効果を高めることができる。
また、先行技術のように、公共の場等において画像表示装置の前を通過する顧客の人物属性を抽出して配信する広告を決定する場合には、広告を配信した際に既に顧客が画像表示装置の前を通り過ぎてしまっている可能性があり、必ずしも充分な広告効果を発揮できるとは限らない。一方、本実施の形態によれば、まずコンテンツを配信し、それに興味を持った視聴者に対して広告を配信しているため、その場にいる蓋然性が高い人物に合った広告を配信することができ、広告効果を高めることができる。
なお、情報配信装置１は、人物属性と広告データとを対応付ける変換規則を備えており、広告属性を用いずに、受信した人物属性から配信する広告データを直接選択しても良い。また、情報配信装置１は、コンテンツの後ではなく、コンテンツと同時に広告を送信しても良い。
また、上述の説明では、一台の端末装置２の前に存在する人物の人物属性を基に、該端末装置２に配信する広告を決定する例を説明したが、本実施の形態はこれに限られない。例えば、情報配信装置１は、離隔して配置された多数（ｋ台（例えば百台規模））の端末装置２から収集した視聴者の人物属性を統計処理し、その結果を基に広告を選択して多数の端末装置２へ配信してもよい。この際、情報配信装置１は、各端末装置２から得られる人物属性の最頻値、平均値、中央値などにより１の人物属性を決定し、該人物属性に対応する広告属性を選択して配信しても良い。例えば、情報配信装置１は、各端末装置２から得られる性別（男性、女性）のうち多い方の性別を選択し、各端末装置２から得られる年齢の平均値を算出して、これらの性別と年齢とを用いて、上述した変換規則を参照し、配信する広告を決定しても良い。このように、情報配信装置１は、複数台の端末装置の各々から取得した人物属性に基づいて、複数台の端末装置に配信する広告を決定しても良い。
また、情報配信装置１は、複数の端末装置２にコンテンツを配信し、そのうちのｋ台の端末装置２の各々が備える属性情報収集部２１から人物属性を受信してもよい。そして、情報配信装置１は、該コンテンツを送信中に収集された前記人物属性を統計処理した結果に基づいて広告格納部１１から広告を選択し、選択された該広告をｎ台（ｎはｋより大きい自然数）の端末装置に送信してもよい。すなわち、情報処理装置１は、ｎ台の端末装置２の全てから人物属性を収集せずとも、そのうちのｋ台から人物属性を収集し、収集した該人物属性に基づいてｎ台の端末装置２に配信する広告を決定しても良い。ここで、ｋ台の端末装置２は、例えばｎ台の端末装置２から適切なサンプリングにより選択された端末装置２であり、情報処理装置１は、該ｋ台の端末装置２によってｎ台の端末装置２の視聴者の傾向や動向を推計することができることが望ましい。また、標本誤差を所定範囲に抑えるために、ｋは、母集団の傾向を推定できる充分な数であることが望ましい。標本誤差を所定範囲に抑えるために母集団に対して必要なサンプル数は、既存の方法によって算出することが可能である。例えば、サンプル数は、１００万台あたり３９台〜３９０台（×１０倍）という範囲としてもよい。この値は、以下のような推定に基づく。すなわち、日本のテレビ受像機数を４８Ｍ台とし、関東地方の視聴者数の割合を０．３８億人／１．１８億人＝３２％とし、関東地方の視聴率モニター世帯数＝６００とし、各テレビ受像機あたり１つの属性情報収集部２１が備えられているとすると、テレビ受像機１００万台あたりの属性情報収集部２１の数は３９台（＝６００÷（４８×０．３２））となる。もちろん、該数字、及び、該推定方法は一例にすぎない。
また、複数の端末装置２の視聴可能領域の各々は、重なり合うことがなく、排他的な領域であっても良い。すなわち、１つの属性情報収集部２１が収集する人物属性は、１つの端末装置２の付近にいる人物の人物属性のみであってもよい。これを実現するために、複数の端末装置２の各々は各家庭ごとに設置されても良いし、複数の端末装置２の各々が離隔して設置されても良い。
また、属性情報収集部２１が収集した属性情報の送信先、及び、統計処理の実施箇所は、情報配信装置１でなくても良い。例えば、統計処理は別の装置等によって実施されたうえで、該統計処理の結果が放送局や広告代理店等に送信されても良い。また、該統計処理はクラウド上で実行されても良い。
また、収集された属性情報は、情報配信装置１や他の装置等によって分析され、マーケティング情報として利用されてもよい。
また、情報配信装置１は、選択した１の広告の情報を図示しない広告代理店等のサーバに送信してもよい。広告代理店等は、この情報を基に広告主への課金を行なっても良い。
＜実施形態２＞
次に、本発明の第２の実施形態について図面を参照して説明する。
本実施の形態では、コンテンツ格納部１２が、コンテンツデータとコンテンツ属性とを対応付けて格納する。また、格納変換情報格納部１３が、コンテンツ属性および人物属性から広告属性への変換規則（第２の変換規則）を格納する。また、情報配信部１０は、収集された人物属性と、送信したコンテンツに対応するコンテンツ属性と、第２の変換規則とに基づいて広告属性を決定し、決定された広告属性に対応する広告データを選択する。以下では主にこれらの相違点について説明する。
コンテンツ格納部１２は、コンテンツデータとコンテンツ属性とを対応付けて格納する。コンテンツ属性については実施形態１で説明したため、説明を省略する。
変換情報格納部１３は、コンテンツ属性および人物属性から広告属性への変換規則（第２の変換規則）を格納する。変換情報格納部１３は、例えば、図８に示すように、コンテンツ属性ごとに、人物属性と広告属性とを対応付けたテーブルを格納してもよい。この場合、例えば図８の最上段のレコードは、“コンテンツ属性：ゴルフ番組”であり、属性情報収集部２１によって取得された人物属性が“性別：男、年齢：１２歳以下”の場合には、該コンテンツ属性と人物属性は、“広告属性：ゴルフおもちゃ”に変換されることを示している。ここでは、テーブルを例に説明したが、コンテンツ属性と人物属性とを入力とし、広告属性を出力とする写像であれば、特に変換規則の形式は限定されない。また、図８では変換情報格納部１３がチャンネルごとに異なるテーブルを保持しているが、変換情報格納部１３は、チャンネルを区別せずにコンテンツ属性ごとに、人物属性と広告属性とを対応付けたテーブルを格納してもよい。
情報配信部１０は、第１の実施形態で説明した動作と異なり、端末装置２へ送信したコンテンツに対応するコンテンツ属性と、属性情報収集部２１によって収集された人物属性と、変換情報格納部１３が格納する第２の変換規則とに基づいて広告属性を決定し、決定された広告属性に対応する広告データを広告格納部１１から選択し、コンテンツ配信後に端末装置２へ配信する。詳細な動作は後述する。
本実施の形態における情報配信システムＡの動作について図９を用いて説明する。まず、情報配信部１０は、コンテンツ格納部１２から、例えば図６のＴＶ番組スケジュール表に従ってその時刻に配信するコンテンツを取得し、端末装置２へ配信する（ステップＳ２１）。
端末装置２がコンテンツを受信すると、表示部２０は該コンテンツを表示する（ステップＳ２２）。また、属性情報収集部２１は、視聴可能領域内に存在する人物の人物属性を取得する（ステップＳ２３）。ここで属性情報収集部２１は、定期的に人物属性を取得し、人物属性を取得する度に、取得した人物属性とそれを取得した時刻情報とを逐次情報配信装置１に送信する。この際、属性情報収集部２１は、例えば端末装置２に内蔵された時計や外部の電波時計等から時刻を取得してもよい。また、属性情報収集部２１は、表示部２０が表示しているコンテンツのチャンネル情報を制御部から取得し、該チャンネル情報と、時刻情報と、取得した人物属性とを対応付けて情報配信装置１に送信する。
情報配信装置１がこれらの情報を受信すると（ステップＳ２４）、情報配信部１０は、配信中のコンテンツのコンテンツ属性をコンテンツ格納部１２等から取得する。なお、情報配信部１０は、例えば、図６に示すＴＶ番組スケジュール表を参照し、取得したチャンネル情報と時刻情報とからコンテンツ属性を特定しても良い。例えば、チャンネルがチャンネル１、時刻情報が示す時刻が１２：００：００〜１２：１５：３０の間であれば、図６に示すように、コンテンツ属性は“ゴルフ番組“となる。
次に、情報配信部１０は、チャンネル情報を基に図８に示した変換規則を参照し、コンテンツ属性と、取得した人物属性とに基づいて対応する広告属性を選択する（ステップＳ２５）。例えば、チャンネル情報がチャンネル１であり、コンテンツ属性が“ゴルフ番組”であれば、情報配信部１０は、図８の最上段のレコードを参照する。次に、情報配信部１０は、取得した人物属性が、例えば、“性別：男、年齢：２３歳”であれば、図８の変換規則の“性別：男性、年齢：その他”、に該当するため、対応する広告属性である“ゴルフクラブ”の広告属性を選択する。
次に、情報配信部１０は、選択した広告属性に対応する広告データを広告格納部１１から選択する（ステップＳ２６）。例えば、情報配信部１０が取得した広告属性がゴルフクラブであれば、情報配信部１０は、図２の広告格納部１１から対応する“広告データ１“を取得する。
次に情報配信部１０は、取得した広告データを端末装置２に配信する（ステップＳ２７）。端末装置２は該広告データを受信する。次に、表示部２０が広告を表示する（ステップＳ２８）。
本実施の形態の情報配信装置１は、コンテンツ配信中の視聴者の人物属性と該コンテンツの内容とに基づいて配信する広告を決定するため、人物属性のみならずコンテンツの内容と関連する広告を配信することができる。例えば、情報配信装置１は、ゴルフ番組を見ている視聴者には、ゴルフ関連の広告を配信することができるのみならず、視聴者の人物属性に応じて、配信するゴルフ関連の広告をゴルフウェアの広告にするか、ゴルフクラブの広告にするか、ゴルフのおもちゃの広告にするか等をさらに変更することができる。つまり、このような構成によれば、広告主や広告代理店等が、コンテンツ属性と人物属性とに対応して、予め広告したい広告属性を定めておくことができるため、人物の属性のみならずコンテンツの内容も利用してターゲッティング広告を行なうことが可能である。
したがって、本実施の形態によれば、単に広告を一方的に配信するだけではなく、コンテンツに興味を持った視聴者に対し、その視聴者に合う広告を配信することができ、広告効果を高めることができる。
＜実施形態３＞
次に、本発明の第３の実施形態について図面を参照して説明する。
本実施の形態では、コンテンツ格納部１２が、コンテンツと人物属性の収集時刻とを対応付けて格納する点で第１の実施形態と異なる。また、情報配信部１０が、収集時刻に収集された人物属性に基づいて広告データを選択する点で第１の実施の形態と異なる。以下では主にこれらの相違点について説明する。
コンテンツ格納部１２は、例えば図１０に示すように、属性情報収集部２１の人物属性の収集時刻をコンテンツと対応付けて格納する。収集時刻は、例えば、収集時刻付与者であるコンテンツ作成会社、放送局、広告主、広告代理店等が付与する。収集時刻付与者は、例えば、コンテンツのハイライトシーンや、コンテンツに特定の商品、ゴルフ場、ホテル等の施設、旅行等のシーン等が含まれている箇所が端末装置２で再生される時刻を収集時刻として設定する。また、収集時刻付与者は、コンテンツが所定の音声レベル以上の箇所、コンテンツが所定の輝度値以上の箇所が再生される時刻等を収集時刻として設定しても良い。時刻は、番組開始時点を起点とする相対時刻でも良い。
また、情報配信装置１が、コンテンツの中で所定の音声レベル以上の箇所、所定の輝度値以上の箇所等をコンテンツデータを解析して検知し、それらの箇所が再生される時刻を収集時刻としてコンテンツ格納部１２に格納しても良い。
また、収集時刻は複数個所あっても良いし、時間帯としてもよい。例えば、図１０に示す例では、コンテンツ属性：旅番組の“コンテンツデータ２”に関する人物属性の収集時刻は１２：３３：２２から１２：３４：５０までの時間帯である。また、コンテンツ属性：ドラマの“コンテンツデータ３”に関する人物属性の収集時刻は１３：３０：１２と１３：３５：１１の２箇所である。
情報配信部１０は、コンテンツ格納部１２に格納された収集時刻を参照し、該収集時刻あるいは該収集時刻近傍の時刻（収集時刻から所定時間内の時刻）に属性情報収集部２１によって収集された人物属性に基づいて第１の実施形態または第２の実施形態の変換情報格納部１３を参照し、対応する広告属性を選択する。また、情報配信部１０は、選択した広告属性に対応する広告データを広告格納部１１から選択して端末装置２へ送信する。
次に、本実施の形態における情報配信システムＡの動作について図１１を用いて説明する。まず、情報配信部１０は、例えば図６のＴＶ番組スケジュール表に従ってその時刻に配信するコンテンツをコンテンツ格納部１２から取得し、端末装置２へ配信する（ステップＳ３１）。この際、情報配信部１０は、コンテンツ格納部１２に格納された収集時刻の情報をコンテンツとともに端末装置２へ配信しても良い。
端末装置２がコンテンツを受信すると、表示部２０が該コンテンツを表示する（ステップＳ３２）。また、属性情報収集部２１は、視聴可能領域内に存在する人物の人物属性を取得する（ステップＳ３３）。
属性情報収集部２１は、取得した人物属性を情報配信装置１に送信する。属性情報収集部２１は、定期的に人物属性を取得し、人物属性を取得する度に、取得した人物属性とそれを取得した時刻情報とを逐次情報配信装置１に送信する。あるいは、属性情報収集部２１は、ステップＳ３２において情報配信部１０から収集時刻の情報を受信している場合には、端末装置２に内蔵された時計や外部の電波時計等から時刻を取得し、現在時刻が収集時刻と一致する場合にのみ人物属性を取得して人物属性を情報配信装置１に送信しても良い。このようにすれば、端末装置２から情報配信装置１に人物属性を逐次送信するよりもデータ量を減らすことができる。属性情報収集部２１は、該チャンネル情報と、端末装置２内部または外部から取得した時刻情報と、取得した人物属性とを対応付けて情報配信装置１に送信する。
情報配信装置１がこれらの情報を受信すると（ステップＳ３４）、情報配信部１０は、配信しているコンテンツを特定する。なお、情報配信部は、図６に示すＴＶ番組スケジュール表を参照し、取得したチャンネル情報と時刻情報とからコンテンツを特定してもよい。次に、情報配信部１０は、コンテンツ格納部１２を参照し、特定したコンテンツに対応する収集時刻を取得する。
次に、情報配信部１０は、取得した人物属性のなかで、収集時刻ないし収集時刻近傍の時刻（収集時刻から所定時間内の時刻）に属性情報取得部２１に取得された人物属性を抽出する。次に情報配信部１０は、該人物属性を用いて広告属性を選択する（ステップＳ３５）。すなわち、情報配信部１０は、図５または図８に示した変換規則を参照し、該人物属性に基づいて、あるいは、該人物属性とコンテンツ属性とに基づいて対応する広告属性を選択する。
次に、情報配信部１０は、選択した広告属性に対応する広告データを広告格納部１１から選択する（ステップＳ３６）。例えば、情報配信部１０が取得した広告属性が“ゴルフクラブ”であれば、情報配信部１０は、図２の広告格納部１１から対応する“広告データ１“を取得する。
次に情報配信部１０は、取得した広告データを端末装置２に配信する（ステップＳ３７）。端末装置２は該広告データを受信する。表示部２０が広告を表示する（ステップＳ３８）。
本実施の形態の情報配信装置１は、第１の実施形態、第２の実施形態の効果に加えて、コンテンツの特定箇所で収集された人物属性に基づいて次に配信する広告を決定するため、広告主等は、コンテンツの中の特定箇所を視聴した視聴者に合う広告を配信することができる。したがって、本実施の形態によれば、単に広告を一方的に配信するだけではなく、コンテンツに興味を持った視聴者に対し、その視聴者に合う広告を配信することができ、広告効果を高めることができる。
＜実施形態４＞
次に、本発明の第４の実施形態について図面を参照して説明する。
図１２に示すように、本実施の形態の情報配信装置１は、情報配信部１０、広告格納部１１、変換情報格納部１３を備える。
広告格納部１１は、広告データと広告属性とを対応付けて格納する。変換情報格納部１３は、人物属性から広告属性への第１の変換規則を格納する。情報配信部１０は、情報配信装置１の外部あるいは内部にあるコンテンツ格納部１２からコンテンツを取得し、コンテンツを表示する端末装置２へコンテンツを送信する。情報配信部１０は、該コンテンツを視聴可能な領域内の人物の人物属性を収集する属性情報収集部２１から人物属性を受信し、該コンテンツを送信中に収集された人物属性を特定する。次に情報配信部１０は、変換情報格納部１３が格納する第１の変換規則に基づいて前記広告属性を決定する。次に情報配信部１０は、決定した広告属性に対応する広告データを広告格納部１１から選択し、選択された広告データを端末装置２に送信する。
本実施の形態の情報配信装置１によれば、単に広告を一方的に配信するだけではなく、コンテンツに興味を持った視聴者に対し、その視聴者に合う広告を配信することができ、広告効果を高めることができる。
＜実施形態５＞
次に、本発明の第５の実施形態について図面を参照して説明する。
図１３に示すように、本実施の形態の端末装置２は、属性情報収集部２１を備える。
端末装置２が情報配信装置１からコンテンツを受信して表示部２０がこれを表示する。属性情報収集部２１は、表示部２０が表示するコンテンツの画像等を視聴可能な領域内の人物の人物属性を収集し、情報配信装置１に送信する。また、端末装置２は、コンテンツを受信中に収集された人物属性と第１の変換規則に基づいて、あるいは、人物属性、コンテンツ属性と第２の変換規則に基づいて、情報配信装置１が決定した広告属性に対応する広告データを、情報配信装置１から受信し、該広告データを表示部２０が表示する。
本実施の形態の端末装置２によれば、単に広告を一方的に受信して表示するだけではなく、コンテンツに興味を持った視聴者に対し、その視聴者に合う広告を受信して表示することができ、広告効果を高めることができる。
以上、実施形態を参照して本願発明を説明したが、本願発明は上記実施形態に限定されるものではない。本願発明の構成や詳細には、本願発明のスコープ内で当業者が理解しうる様々な変更をすることができる。
この出願は、２０１１年４月１１日に出願された日本出願特願２０１１−０８７４９２を基礎とする優先権を主張し、その開示の全てをここに取り込む。
【符号の説明】
【０００９】
１    情報配信装置
１０  情報配信部
１１  広告格納部
１２  コンテンツ格納部
１３  変換情報格納部
２    端末装置
２０  表示部
２１  属性情報収集部
【図１】
2012141006.tif 000003
【図２】
2012141006.tif 000004
【図３】
2012141006.tif 000005
【図４】
2012141006.tif 000006
【図５】
2012141006.tif 000007
【図６】
2012141006.tif 000008
【図７】
2012141006.tif 000009
【図８】
2012141006.tif 000010
【図９】
2012141006.tif 000011
【図１０】
2012141006.tif 000012
【図１１】
2012141006.tif 000013
【図１２】
2012141006.tif 000014
【図１３】
2012141006.tif 000015
【図１４】
2012141006.tif 000016
【国際調査報告】
2012141006.tif 000017
2012141006.tif 000018
2012141006.tif 000019
2012141006.tif 000020